(57)【要約】【課題】テレビ放送番組等の映像音声コンテンツにおけるハイライトシーンをユーザが見逃す可能性を低減させるコンテンツ出力装置を提供する。【解決手段】コンテンツ出力装置１００は、映像音声コンテンツを表す映像音声信号を逐次取得する取得部１１０と、取得部１１０によりハイライトシーンの映像音声信号が取得された際に、ハイライトシーンの映像音声信号を記録媒体に記録する記録部１４０と、記録部１４０によりハイライトシーンの映像音声信号が記録されていない場合においては、取得部１１０により映像音声信号が取得された際に、その映像音声信号に基づいて映像及び音声を出力し、記録部１４０によりハイライトシーンの映像音声信号が記録された場合において所定条件が満たされたときには、記録媒体に記録されたハイライトシーンの映像音声信号に基づいて映像及び音声を出力する出力部１６０とを備える。【選択図】図２
2018113625.tif 000002
【特許請求の範囲】
【請求項１】
映像音声コンテンツを表す映像音声信号を逐次取得する取得部と、
前記取得部によりハイライトシーンの映像音声信号が取得された際に、当該ハイライトシーンの映像音声信号を記録媒体に記録する記録部と、
前記記録部によりハイライトシーンの映像音声信号が記録されていない場合においては、前記取得部により映像音声信号が取得された際に、当該映像音声信号に基づいて映像及び音声を出力し、前記記録部によりハイライトシーンの映像音声信号が記録された場合において所定条件が満たされたときには、前記記録媒体に記録された当該ハイライトシーンの映像音声信号に基づいて映像及び音声を出力する出力部とを備える
コンテンツ出力装置。
【請求項２】
前記取得部は、テレビジョン放送の受信回路を含み、テレビジョン放送を受信することにより映像音声信号の前記逐次取得を行い、
前記出力部は、ディスプレイ及びスピーカを含み、当該ディスプレイ及びスピーカにより、映像及び音声の前記出力を行う
請求項１記載のコンテンツ出力装置。
【請求項３】
前記コンテンツ出力装置は、ユーザが、前記出力部により出力される映像及び音声を視聴可能な所定状態であることを検出する検出部を備え、
前記所定条件は、ユーザが前記所定状態であることを前記検出部が検出したことで満たされる条件である
請求項１又は２記載のコンテンツ出力装置。
【請求項４】
前記検出部は、視線を検知するセンサを含み、ユーザが前記所定状態であることの検出を、前記出力部により出力される映像に向かうユーザの視線の検知により行う
請求項３記載のコンテンツ出力装置。
【請求項５】
前記検出部は、ユーザが前記所定状態であることの検出を、ユーザによる所定操作の検知により行う
請求項３記載のコンテンツ出力装置。
【請求項６】
前記出力部は、前記記録部によりハイライトシーンの映像音声信号が記録された場合に、前記所定条件が満たされるまでの期間において、前記取得部により映像音声信号が取得された際における当該映像音声信号に基づく映像及び音声の出力を抑止する
請求項１〜５のいずれか一項に記載のコンテンツ出力装置。
【請求項７】
前記出力部は、前記記録部によりハイライトシーンの映像音声信号が記録された場合に、前記所定条件が満たされるまでの期間において、前記記録部により記録された当該ハイライトシーンの開始時点の映像音声信号に基づく映像を出力する
請求項１〜６のいずれか一項に記載のコンテンツ出力装置。
【請求項８】
前記コンテンツ出力装置は、前記取得部によりハイライトシーンの映像音声信号が取得された際に、ハイライトシーンの映像及び音声が視聴可能であることを通知する通知部を備える
請求項１〜７のいずれか一項に記載のコンテンツ出力装置。
【請求項９】
前記所定条件は、前記取得部によりハイライトシーンの映像音声信号が取得されてから所定時間が経過したことで満たされる条件である
請求項８記載のコンテンツ出力装置。
【請求項１０】
前記出力部は、前記記録媒体に記録された一のハイライトシーンの映像音声信号に基づく映像及び音声の出力を完了した際に、前記記録部により前記記録媒体に他のハイライトシーンの映像音声信号が記録されている場合には当該他のハイライトシーンの映像音声信号に基づく映像及び音声の出力を開始する
請求項１〜９のいずれか一項に記載のコンテンツ出力装置。
【請求項１１】
前記出力部は、前記記録媒体に記録された１つのハイライトシーンの映像音声信号に基づく映像及び音声の出力を、複数回繰り返す
請求項１〜１０のいずれか一項に記載のコンテンツ出力装置。
【請求項１２】
前記コンテンツ出力装置は、前記取得部により取得される映像音声信号がハイライトシーンの映像音声信号であるか否かを識別するためのハイライトシーン情報を、外部装置との通信により取得する通信部を備え、
前記記録部は、前記取得部により取得された映像音声信号がハイライトシーンの映像音声信号であるか否かを前記ハイライトシーン情報に基づいて識別することにより、ハイライトシーンの映像音声信号の前記記録を行う
請求項１〜１１のいずれか一項に記載のコンテンツ出力装置。
【請求項１３】
前記出力部は、前記記録部によりハイライトシーンの映像音声信号が記録された場合において所定条件が満たされたときには、前記記録媒体に記録された当該ハイライトシーンの映像音声信号に基づく映像及び音声の出力に並行して、前記取得部により映像音声信号が取得された際に当該映像音声信号に基づいて映像の出力を行う
請求項１〜１２のいずれか一項に記載のコンテンツ出力装置。
【請求項１４】
コンテンツ出力装置において、映像音声コンテンツを表す映像音声信号を逐次取得する取得ステップと、
前記取得ステップでハイライトシーンの映像音声信号が取得された際に、当該ハイライトシーンの映像音声信号を記録媒体に記録する記録ステップと、
前記記録ステップでハイライトシーンの映像音声信号が記録されていない場合においては、前記取得ステップで映像音声信号が取得された際に、当該映像音声信号に基づいて映像及び音声を前記コンテンツ出力装置から出力し、前記記録ステップでハイライトシーンの映像音声信号が記録された場合において所定条件が満たされたときには、前記記録媒体に記録された当該ハイライトシーンの映像音声信号に基づいて映像及び音声を前記コンテンツ出力装置から出力する出力ステップとを含む
コンテンツ出力方法。
【請求項１５】
マイクロプロセッサを備えるコンテンツ出力装置に、コンテンツ出力処理を実行させるための制御プログラムであって、
前記コンテンツ出力処理は、
映像音声コンテンツを表す映像音声信号を逐次取得する取得ステップと、
前記取得ステップでハイライトシーンの映像音声信号が取得された際に、当該ハイライトシーンの映像音声信号を記録媒体に記録する記録ステップと、
前記記録ステップでハイライトシーンの映像音声信号が記録されていない場合においては、前記取得ステップで映像音声信号が取得された際に、当該映像音声信号に基づいて映像及び音声を出力し、前記記録ステップでハイライトシーンの映像音声信号が記録された場合において所定条件が満たされたときには、前記記録媒体に記録された当該ハイライトシーンの映像音声信号に基づいて映像及び音声を出力する出力ステップとを含む
制御プログラム。
【発明の詳細な説明】
【技術分野】
【０００１】
本開示は、テレビ（テレビジョン）放送番組等といった映像音声コンテンツを表す映像音声信号を取得して映像及び音声を出力するコンテンツ出力装置等に関する。
【背景技術】
【０００２】
従来、放送番組からハイライトシーンを検出して報知等をする技術が知られている。例えば、特許文献１は、放送番組のハイライトシーンが検出された場合に放送番組について報知する技術を示す。また、特許文献２は、テレビ放送番組であるスポーツ番組のハイライトシーンの予兆を検出してその番組の映像を強調等する技術を示す。
【先行技術文献】
【特許文献】
【０００３】
【特許文献１】特開２００７−３１８５０８号公報
【特許文献２】特開２０１４−１２７９０６号公報
【特許文献３】特開平９−１３５３９１号公報
【特許文献４】特開２００８−１８５６２６号公報
【特許文献５】特開２０１６−１００６１４号公報
【発明の概要】
【発明が解決しようとする課題】
【０００４】
テレビ受信機等のコンテンツ出力装置のユーザによるテレビ視聴の態様としては、視聴に専念する態様の他に、他の作業（例えば、料理その他の家事等）の合間にテレビ画面を見るような態様等がある。視聴に専念しない場合には、ユーザはハイライトシーンを見逃すかもしれない。
【０００５】
本開示は、テレビ放送番組等の映像音声コンテンツにおけるハイライトシーンをユーザが見逃す可能性を低減させるコンテンツ出力装置を提供する。また本開示は、そのハイライトシーンをユーザが見逃す可能性を低減させるコンテンツ出力方法、及び、コンテンツ出力装置で用いられる制御プログラムを提供する。
【課題を解決するための手段】
【０００６】
本開示におけるコンテンツ出力装置は、映像音声コンテンツを表す映像音声信号を逐次取得する取得部と、前記取得部によりハイライトシーンの映像音声信号が取得された際に、当該ハイライトシーンの映像音声信号を記録媒体に記録する記録部と、前記記録部によりハイライトシーンの映像音声信号が記録されていない場合においては、前記取得部により映像音声信号が取得された際に、当該映像音声信号に基づいて映像及び音声を出力し、前記記録部によりハイライトシーンの映像音声信号が記録された場合において所定条件が満たされたときには、前記記録媒体に記録された当該ハイライトシーンの映像音声信号に基づいて映像及び音声を出力する出力部とを備える。
【０００７】
また、本開示におけるコンテンツ出力方法は、コンテンツ出力装置において、映像音声コンテンツを表す映像音声信号を逐次取得する取得ステップと、前記取得ステップでハイライトシーンの映像音声信号が取得された際に、当該ハイライトシーンの映像音声信号を記録媒体に記録する記録ステップと、前記記録ステップでハイライトシーンの映像音声信号が記録されていない場合においては、前記取得ステップで映像音声信号が取得された際に、当該映像音声信号に基づいて映像及び音声を前記コンテンツ出力装置から出力し、前記記録ステップでハイライトシーンの映像音声信号が記録された場合において所定条件が満たされたときには、前記記録媒体に記録された当該ハイライトシーンの映像音声信号に基づいて映像及び音声を前記コンテンツ出力装置から出力する出力ステップとを含む。
【０００８】
また、本開示における制御プログラムは、マイクロプロセッサを備えるコンテンツ出力装置に、コンテンツ出力処理を実行させるための制御プログラムであって、前記コンテンツ出力処理は、映像音声コンテンツを表す映像音声信号を逐次取得する取得ステップと、前記取得ステップでハイライトシーンの映像音声信号が取得された際に、当該ハイライトシーンの映像音声信号を記録媒体に記録する記録ステップと、前記記録ステップでハイライトシーンの映像音声信号が記録されていない場合においては、前記取得ステップで映像音声信号が取得された際に、当該映像音声信号に基づいて映像及び音声を出力し、前記記録ステップでハイライトシーンの映像音声信号が記録された場合において所定条件が満たされたときには、前記記録媒体に記録された当該ハイライトシーンの映像音声信号に基づいて映像及び音声を出力する出力ステップとを含む。
【発明の効果】
【０００９】
本開示におけるコンテンツ出力装置等によれば、ハイライトシーンの映像信号を記録して一定条件下でハイライトシーンに係る映像及び音声を出力するので、ユーザがハイライトシーンを見逃す可能性が低減し得る。
【図面の簡単な説明】
【００１０】
【図１】実施の形態１に係るコンテンツ出力装置の構成の一例を示す図である。
【図２】コンテンツ出力装置の機能ブロック図である。
【図３】実施の形態１に係るコンテンツ出力装置におけるコンテンツ出力処理の一例を示すフローチャートである。
【図４】コンテンツ出力装置におけるハイライトシーン出力処理の一例を示すフローチャートである。
【図５】実施の形態２に係るコンテンツ出力装置におけるコンテンツ出力処理の一例を示すフローチャートである。
【図６】コンテンツ出力装置におけるハイライトシーン記録処理の一例を示すフローチャートである。
【発明を実施するための形態】
【００１１】
テレビ放送番組等の映像音声コンテンツにおけるハイライトシーンをユーザが見逃す可能性を低減させるべく、本開示におけるコンテンツ出力装置は、映像音声コンテンツを表す映像音声信号を逐次取得する取得部と、前記取得部によりハイライトシーンの映像音声信号が取得された際に、当該ハイライトシーンの映像音声信号を記録媒体に記録する記録部と、前記記録部によりハイライトシーンの映像音声信号が記録されていない場合においては、前記取得部により映像音声信号が取得された際に、当該映像音声信号に基づいて映像及び音声を出力し、前記記録部によりハイライトシーンの映像音声信号が記録された場合において所定条件が満たされたときには、前記記録媒体に記録された当該ハイライトシーンの映像音声信号に基づいて映像及び音声を出力する出力部とを備える。所定条件として、例えば、ユーザが視聴可能状態になったこと、一定時間が経過したこと等といった、ユーザの視聴可能性の高さに鑑みて定められた条件を用い得る。
【００１２】
これにより、記録部でハイライトシーンの映像信号を記録して所定条件が満たされた場合にハイライトシーンに係る映像及び音声を出力するので、ユーザがハイライトシーンを見逃す可能性が低減し得る。
【００１３】
また、例えば、前記取得部は、テレビジョン放送の受信回路を含み、テレビジョン放送を受信することにより映像音声信号の前記逐次取得を行い、前記出力部は、ディスプレイ及びスピーカを含み、当該ディスプレイ及びスピーカにより、映像及び音声の前記出力を行うこととしてもよい。
【００１４】
これにより、ユーザがテレビ放送番組のハイライトシーンを見逃す可能性が低減し得る。
【００１５】
また、例えば、前記コンテンツ出力装置は、ユーザが、前記出力部により出力される映像及び音声を視聴可能な所定状態であることを検出する検出部を備え、前記所定条件は、ユーザが前記所定状態であることを前記検出部が検出したことで満たされる条件であることとしてもよい。所定状態は、例えば、ユーザが映像音声コンテンツを適切に視聴できる状態、ユーザが視聴可能領域（例えばコンテンツ出力装置と同じ部屋内等）に居る状態、例えばユーザが視線を出力映像が視認できる方向へ向けている状態等である。
【００１６】
これにより、ユーザが映像音声コンテンツの視聴を他の作業（例えば、料理その他の家事等）の合間に行っている等により、ユーザがその映像音声コンテンツのハイライトシーンが始まるタイミングで映像を見ることができないような状況であっても、ユーザが視聴可能な状態であることが検出されたときにハイライトシーンが出力される。このため、ユーザはハイライトシーンを適切に視聴し得る。
【００１７】
また、例えば、前記検出部は、視線を検知するセンサを含み、ユーザが前記所定状態であることの検出を、前記出力部により出力される映像に向かうユーザの視線の検知により行うこととしてもよい。
【００１８】
これにより、映像音声コンテンツのハイライトシーンが始まるタイミングで、コンテンツ出力装置の出力によりディスプレイ等に表示される映像に、ユーザが視線を向けていなくても、ユーザが視線を向けたときにハイライトシーンの出力がなされる。このため、ユーザはハイライトシーンを見逃さない。
【００１９】
また、例えば、前記検出部は、ユーザが前記所定状態であることの検出を、ユーザによる所定操作の検知により行うこととしてもよい。所定操作は、コンテンツ出力装置のユーザインタフェースに応じた操作であり、例えば、コンテンツ出力装置のリモコン（リモートコントローラ）のボタン押下等、或いは、コンテンツ出力装置に対する音声入力等である。
【００２０】
これにより、ユーザが、たとえ映像音声コンテンツの視聴を他の作業の合間に行っている等によりハイライトシーンが始まるタイミングで映像を見ることができないような状況であっても、映像音声コンテンツを適切に視聴できる状態になって操作を行えば、ハイライトシーンを見ることができる。
【００２１】
また、例えば、前記出力部は、前記記録部によりハイライトシーンの映像音声信号が記録された場合に、前記所定条件が満たされるまでの期間において、前記取得部により映像音声信号が取得された際における当該映像音声信号に基づく映像及び音声の出力を抑止することとしてもよい。
【００２２】
これにより、ユーザが、映像或いは音声をハイライトシーンが始まるタイミングで適切に視聴ができない状況において、ハイライトシーンの映像及び音声の出力によってユーザが不完全に（例えば断片的に）ハイライトシーンを視聴してしまうことが抑止される。例えば所定条件をユーザが適切に視聴できる状態になったこと等と定めておくこと（例えばユーザ操作がなされたこと、ユーザの視線を検知したこと等）で、ユーザは、適切に視聴できる状況になった時点でハイライトシーンの視聴を開始できるようになる。
【００２３】
また、例えば、前記出力部は、前記記録部によりハイライトシーンの映像音声信号が記録された場合に、前記所定条件が満たされるまでの期間において、前記記録部により記録された当該ハイライトシーンの開始時点の映像音声信号に基づく映像を出力することとしてもよい。
【００２４】
これにより、所定条件が満たされるまで、ハイライトシーンの開始時点の映像を出力（例えばディスプレイ等に表示）した状態となるので、ハイライトシーンの表示は一時停止状態となる。このため、ユーザはハイライトシーンをその開始時点から見ることができる。
【００２５】
また、例えば、前記コンテンツ出力装置は、前記取得部によりハイライトシーンの映像音声信号が取得された際に、ハイライトシーンの映像及び音声が視聴可能であることを通知する通知部を備えることとしてもよい。
【００２６】
これにより、ハイライトシーンが始まるタイミングをユーザが知ることになるので、ユーザがハイライトシーンを見逃す可能性が低減する。
【００２７】
また、例えば、前記所定条件は、前記取得部によりハイライトシーンの映像音声信号が取得されてから所定時間が経過したことで満たされる条件であることとしてもよい。
【００２８】
これにより、ハイライトシーンが始まるタイミングにおいてユーザがハイライトシーンを視聴できない状況であっても所定時間（例えば５分〜１０分等）内に視聴可能な状況に戻るのであれば、ユーザはハイライトシーンを見逃さない。例えば、ユーザが一時的に（所定時間より短い期間だけ）、ハイライトシーンの視聴可能範囲から離脱するような場合であっても、ユーザはハイライトシーンを視聴可能となる。
【００２９】
また、例えば、前記出力部は、前記記録媒体に記録された一のハイライトシーンの映像音声信号に基づく映像及び音声の出力を完了した際に、前記記録部により前記記録媒体に他のハイライトシーンの映像音声信号が記録されている場合には当該他のハイライトシーンの映像音声信号に基づく映像及び音声の出力を開始することとしてもよい。なお、コンテンツ出力装置は、他のハイライトシーンに係る映像及び音声の出力を、一のハイライトシーンに係る映像及び音声の出力を完了した直後に開始しても、その完了から近い時期に開始（例えば完了直後のユーザ操作を待って開始）してもよい。
【００３０】
これにより、記録された１つのハイライトシーンの出力中に、別のハイライトシーンの映像音声信号が取得（例えば放送受信等により取得）された場合において、ユーザが複数のハイライトシーンを連続して視聴することが可能になる。
【００３１】
また、例えば、前記出力部は、前記記録媒体に記録された１つのハイライトシーンの映像音声信号に基づく映像及び音声の出力を、複数回繰り返すこととしてもよい。
【００３２】
これにより、ユーザは、ハイライトシーンを繰り返し視聴し得る。
【００３３】
また、例えば、前記コンテンツ出力装置は、前記取得部により取得される映像音声信号がハイライトシーンの映像音声信号であるか否かを識別するためのハイライトシーン情報を、外部装置との通信により取得する通信部を備え、前記記録部は、前記取得部により取得された映像音声信号がハイライトシーンの映像音声信号であるか否かを前記ハイライトシーン情報に基づいて識別することにより、ハイライトシーンの映像音声信号の前記記録を行うこととしてもよい。
【００３４】
これにより、コンテンツ出力装置は、映像音声信号を解析してハイライトシーンを検出する機能を有さなくても、ハイライトシーンを識別可能となる。なお、このようなコンテンツ出力装置は、装置構成を変更することなく、ハイライトシーンの検出の精度向上等のために検出のアルゴリズムを変更しても動作し得るものとなる。
【００３５】
また、例えば、前記出力部は、前記記録部によりハイライトシーンの映像音声信号が記録された場合において所定条件が満たされたときには、前記記録媒体に記録された当該ハイライトシーンの映像音声信号に基づく映像及び音声の出力に並行して、前記取得部により映像音声信号が取得された際に当該映像音声信号に基づいて映像の出力を行うこととしてもよい。
【００３６】
これにより、コンテンツ出力装置が取得（例えば放送番組の受信）している映像音声信号に係る映像の画面と、その映像音声信号が一旦記録されて遅延した信号が示すハイライトシーンに係る映像の画面とが出力（例えばディスプレイ等における２画面表示）される。このため、ユーザがハイライトシーンを見逃す可能性が低減し得る。
【００３７】
また、本開示におけるコンテンツ出力方法は、コンテンツ出力装置において、映像音声コンテンツを表す映像音声信号を逐次取得する取得ステップと、前記取得ステップでハイライトシーンの映像音声信号が取得された際に、当該ハイライトシーンの映像音声信号を記録媒体に記録する記録ステップと、前記記録ステップでハイライトシーンの映像音声信号が記録されていない場合においては、前記取得ステップで映像音声信号が取得された際に、当該映像音声信号に基づいて映像及び音声を前記コンテンツ出力装置から出力し、前記記録ステップでハイライトシーンの映像音声信号が記録された場合において所定条件が満たされたときには、前記記録媒体に記録された当該ハイライトシーンの映像音声信号に基づいて映像及び音声を前記コンテンツ出力装置から出力する出力ステップとを含む。
【００３８】
これにより、記録媒体にハイライトシーンの映像信号を記録して所定条件が満たされた場合にハイライトシーンに係る映像及び音声を出力するので、ユーザがハイライトシーンを見逃す可能性が低減し得る。
【００３９】
また、本開示における制御プログラムは、マイクロプロセッサを備えるコンテンツ出力装置に、コンテンツ出力処理を実行させるための制御プログラムであって、前記コンテンツ出力処理は、映像音声コンテンツを表す映像音声信号を逐次取得する取得ステップと、前記取得ステップでハイライトシーンの映像音声信号が取得された際に、当該ハイライトシーンの映像音声信号を記録媒体に記録する記録ステップと、前記記録ステップでハイライトシーンの映像音声信号が記録されていない場合においては、前記取得ステップで映像音声信号が取得された際に、当該映像音声信号に基づいて映像及び音声を出力し、前記記録ステップでハイライトシーンの映像音声信号が記録された場合において所定条件が満たされたときには、前記記録媒体に記録された当該ハイライトシーンの映像音声信号に基づいて映像及び音声を出力する出力ステップとを含む。
【００４０】
この制御プログラムがインストールされて実行されるコンテンツ出力装置は、コンテンツ出力処理を行うので、ユーザがハイライトシーンを見逃す可能性が低減し得る。
【００４１】
なお、これらの包括的又は具体的な各種態様には、装置、システム、方法、集積回路、コンピュータプログラム、コンピュータで読み取り可能な記録媒体等の１つ又は複数の組合せが含まれる。
【００４２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００４３】
なお、発明者は、当業者が本開示を十分に理解するために図面及び以下の説明を提供するのであって、これらによって特許請求の範囲に記載の主題を限定することを意図するものではない。即ち、以下の具体例を用いた説明で示される数値、形状、構成要素、構成要素の配置及び接続形態、並びに、ステップ（工程）及びステップの順序等は、一例であって、特許請求の範囲に記載の主題を限定するものではない。以下の実施の形態における構成要素のうち、独立請求項に記載されていない構成要素については、任意に付加可能な構成要素である。また、各図は、模式図であり、必ずしも厳密に図示されたものではない。
【００４４】
（実施の形態１）
以下、映像音声コンテンツに係る映像音声信号（ＡＶ信号）を取得して映像及び音声を出力し、ハイライトシーンを検出した場合には一旦記録して一定条件下でハイライトシーンに係る映像及び音声を出力するコンテンツ出力方法を用いるコンテンツ出力装置１００について図面を用いて説明する。
【００４５】
［１−１．構成］
図１は、実施の形態１に係るコンテンツ出力装置１００の構成の一例を示す。
【００４６】
コンテンツ出力装置１００は、一例としては、ユーザに映像音声コンテンツ（例えばテレビ放送番組）を視聴可能にするテレビ（テレビジョン放送の受信機）であり、図１に示すように、放送受信回路１１１、通信回路１２１、メモリ１４１、入力処理回路１５１、視線センサ１５２、映像処理回路１６１、ディスプレイ１６２、音声処理回路１６３、スピーカ１６４、及び、プロセッサ（マイクロプロセッサ）１７０を含んで構成される。なお、図１では、太い矢線で映像音声信号（ＡＶ信号）の流れを示している。
【００４７】
放送受信回路１１１は、テレビ（テレビジョン）放送を受信することにより、映像音声コンテンツである放送番組の映像音声信号等を取得するチューナである。放送受信回路１１１は、例えば、テレビ放送においてＭＰＥＧ２システム規格で規定されたＭＰＥＧ２トランスポートストリーム等の形式で放送局等から放送波、ケーブル等により送信される放送番組に係る各種データ（信号列）を受信して映像音声信号（映像信号及び音声信号）を抽出する。映像音声信号は、例えば、相互に同期した映像信号及び音声信号で構成され、時間軸を有する信号系列である。
【００４８】
通信回路１２１は、例えばインターネット等のネットワークを介して外部装置と通信するための通信インタフェースである。外部装置は、例えば、ウェブサーバ機能を有するサーバ等である。外部装置は、例えば、テレビ放送に関連する情報を提供し、ＳＮＳ（ソーシャルネットワーキングサービス）を提供するものであってもよい。通信回路１２１は、例えば、外部装置から、テレビ放送に関連するデータ或いはその他のデータを受信し得る。また、外部装置は、メールサーバ、或いは、ユーザが携帯する情報端末等であってもよく、このような外部装置に対して通信回路１２１は情報等を送信（通知）し得る。
【００４９】
メモリ１４１は、プログラム及びデータを予め保持しているＲＯＭ、プログラムの実行に際してデータ等の記憶に利用するためのＲＡＭ等の記憶媒体（記録媒体）であり、例えば不揮発性メモリを含んでいてもよい。メモリ１４１には、コンテンツ出力方法に係るコンテンツ出力処理を実現するための制御プログラムやその制御プログラムで利用するための設定値等が予め格納され得る。例えばプロセッサ１７０は、制御プログラムを実行することにより、コンテンツ出力装置１００の各部を制御してコンテンツ出力処理等を行う。また、メモリ１４１は、制御プログラムのプロセッサ１７０による実行に際して用いられる各値を一時的に格納するためにも用いられ得る。なお、コンテンツ出力装置１００は、メモリ１４１の他に、ハードディスク等の記録媒体を備えてもよい。
【００５０】
入力処理回路１５１は、コンテンツ出力装置１００におけるユーザインタフェースとしてユーザ入力を受け付ける回路である。入力処理回路１５１は、例えば、コンテンツ出力装置１００のリモコン（リモートコントローラ）からの信号を受信する受信回路（例えば赤外線リモコン信号の受信回路等）である。なお、入力処理回路１５１は、ユーザによる音声入力に対応するための、マイクを含む音声入力回路であってもよいし、ボタン、スイッチ等を含む操作パネル或いはキーボード等からの入力操作を受け付ける回路であってもよい。
【００５１】
視線センサ１５２は、ユーザの視線を検知するセンサである。
【００５２】
映像処理回路１６１は、映像音声コンテンツにおける映像信号に基づいて、ディスプレイ１６２に表示させるべき映像（画像）を逐次生成する回路である。ディスプレイ１６２は、映像処理回路１６１で逐次生成された画像を逐次表示する。
【００５３】
音声処理回路１６３は、映像音声コンテンツにおける音声信号に基づいて、スピーカ１６４に出力させるべき音声を逐次生成する回路である。スピーカ１６４は、音声処理回路１６３で逐次生成された音声を逐次出力する。
【００５４】
プロセッサ１７０は、メモリ１４１に記憶された制御プログラムを実行することにより、コンテンツ出力装置１００の各部を制御する。
【００５５】
図２は、コンテンツ出力装置１００の機能ブロック図である。コンテンツ出力装置１００における機能構成要素は、例えば図２に示すものとなる。なお、図２には、コンテンツ出力装置１００とネットワーク２０１を介して通信する外部装置２００を付記している。
【００５６】
コンテンツ出力装置１００は、機能面において図２に示すように、取得部１１０、通信部１２０、通知部１３０、記録部１４０、検出部１５０、及び、出力部１６０を備える。
【００５７】
取得部１１０は、放送受信回路１１１等で実現され、テレビ放送の受信により映像音声コンテンツを表す映像音声信号を逐次取得する。
【００５８】
通信部１２０は、通信回路１２１等により実現され、外部装置２００と通信することで各種情報を取得する。
【００５９】
通知部１３０は、通信回路１２１或いはスピーカ１６４、及び、制御プログラムを実行するプロセッサ１７０により実現され、取得部１１０によりハイライトシーンの映像音声信号が取得された際に、ハイライトシーンの映像及び音声が視聴可能であることを通知する。この通知は、例えばユーザにハイライトシーンの視聴が可能であることを知らせるために行われ、具体的には、通信回路１２１を介してユーザが携帯するスマートフォン、タブレット等の情報端末にハイライトシーンが視聴可能な旨を示すメッセージを送信すること、スピーカ１６４からそのようなメッセージの音声を出力すること等により、行われる。
【００６０】
記録部１４０は、メモリ１４１、制御プログラムを実行するプロセッサ１７０等により実現され、取得部１１０によりハイライトシーンの映像音声信号が取得された際に、そのハイライトシーンの期間の全部又は一部の映像音声信号を記録媒体（例えばメモリ１４１等）に記録する。記録部１４０は、ハイライトシーンの期間を、例えば取得部１１０に逐次取得された映像音声信号に係る映像の解析或いは音声の解析等により特定して、ハイライトシーンに係る映像音声信号の記録を行う。ハイライトシーンは、テレビ番組等における見るべき価値の高い場面等であり、スポーツ競技に係る番組において例えば得点を獲得した決定的場面等である。どのような場面をハイライトシーンと取り扱うこととしてもよく、ハイライトシーンの検出方法としていかなる方法を用いてもよい。例えば映像の解析によれば、スポーツ競技に係るコンテンツの映像中に表示された得点の変化の検出等により得点変化タイミングの直前等が、ハイライトシーンの期間として特定され得る。また、例えば音声の解析によれば、スポーツ競技に係るコンテンツの音声として歓声が大きくなった時期の検出等によりその時期の直前から直後までの期間がハイライトシーンの期間として特定され得る。ハイライトシーンの検出方法として、例えば、特許文献４或いは特許文献５に示される方法を用いてもよい。
【００６１】
検出部１５０は、入力処理回路１５１或いは視線センサ１５２等により実現され、ユーザが、出力部１６０により出力される映像及び音声を適切に視聴可能な所定状態であることを検出する。所定状態は、例えばユーザが映像音声コンテンツを適切に視聴できる状態であり、例えばコンテンツ出力装置１００の所在する領域（部屋等）と同じ領域内にユーザが居る状態、或いは、例えばユーザが、コンテンツ出力装置１００から出力される映像を見ることができる方向へ視線を向けている状態等である。具体例としては、検出部１５０は、出力部１６０により出力される映像に向かうユーザの視線を視線センサ１５２で検知することで、ユーザが所定状態であることの検出を行う。また、検出部１５０は、ユーザにより所定操作（リモコンのボタン押下等）がなされたことを入力処理回路１５１で検知することで、ユーザが所定状態であることの検出を行うこととしてもよい。更に、検出部１５０は、ユーザにより操作（後述するリプレイ指示の操作等）がなされたことを入力処理回路１５１で検知して出力部１６０に伝達し得る。
【００６２】
出力部１６０は、映像処理回路１６１、ディスプレイ１６２、音声処理回路１６３、スピーカ１６４、制御プログラムを実行するプロセッサ１７０等により実現される。出力部１６０は、記録部１４０によりハイライトシーンの映像音声信号が記録媒体に記録されていない場合においては、取得部１１０により映像音声信号が取得された際に、その映像音声信号に基づいて映像及び音声を出力し、記録部１４０によりハイライトシーンの映像音声信号が記録媒体に記録された場合において所定条件が満たされたときには、記録媒体に記録されたハイライトシーンの映像音声信号に基づいて映像及び音声を出力する。出力部１６０は、映像の出力を、例えば、ディスプレイ１６２の画面に映像を表示することで行い、音声の出力を、例えば、スピーカ１６４を介して（つまりスピーカ１６４を鳴動させることで）行う。所定条件は、ユーザの視聴可能性の高さに鑑みて定められた条件であり、ユーザが適切にハイライトシーン（その映像及び音声）を視聴できる可能性がある程度高い場合に満たされる条件である。具体例として所定条件は、ユーザが所定状態（出力部１６０により出力される映像及び音声を適切に視聴可能な状態）であることを検出部１５０が検出したことで満たされる条件であり、また、取得部１１０によりハイライトシーンの映像音声信号が取得されてから所定時間（例えば５分、１０分等）が、経過したことで満たされる条件である。
【００６３】
出力部１６０は、映像音声信号に基づいて映像をディスプレイ１６２の画面に表示する態様として、例えば設定されたモードに応じて複数画面の表示（例えばディスプレイ１６２の画面を２つに分割した２画面表示等）を行い得るものであってもよいし、複数画面の表示を行えず１画面を表示するものであってもよい。
【００６４】
一具体例としては、出力部１６０は、記録部１４０によりハイライトシーンの映像音声信号が記録媒体に記録された場合に、所定条件が満たされるまでの期間において、記録部１４０により記録媒体に記録されたそのハイライトシーンの開始時点の映像音声信号に基づく映像を出力する。これにより、所定条件が満たされるまでは、ディスプレイ１６２の画面には、ハイライトシーンの開始時点の映像が表示され、表示が一時停止したように見える状態となる。出力部１６０は、所定条件が満たされた際に、その一時停止を解除するように、記録媒体に記録されたハイライトシーンの出力を開始する。コンテンツ出力装置１００が２画面表示を行うモードに設定されていると、出力部１６０は、記録部１４０によりハイライトシーンの映像音声信号が記録媒体に記録された場合において所定条件が満たされたときに、例えば、記録媒体に記録されたハイライトシーンの映像を１画面に表示してハイライトシーンの音声を出力し、並行して取得部１１０が取得した映像音声信号に基づく映像を概ねリアルタイムで別の１画面に表示する。
【００６５】
また、出力部１６０は、記録部１４０により記録媒体に記録された、ある１つのハイライトシーンの映像音声信号に基づく映像及び音声の出力を完了した際（つまりハイライトシーンの期間の最初から最後までの出力を終えた際）に、記録部１４０により記録媒体に他のハイライトシーンの映像音声信号が記録されている場合には、その他のハイライトシーンの映像音声信号に基づく映像及び音声の出力を開始する。より具体的な例としては、出力部１６０は、１つのハイライトシーンの出力（つまりハイライトシーンに係る映像及び音声の出力）を完了した際に、一定時間（例えば１５秒間等）待機して、ユーザによるリプレイ指示（つまり繰り返し出力する指示）の操作をその一定時間内に検出部１５０が受けた場合には、その１つのハイライトシーンを再び出力し、一定時間内にリプレイ指示の操作を受けなかった場合には、その他のハイライトシーンの出力に移る。
【００６６】
［１−２．動作］
以下、上述の構成を備えるコンテンツ出力装置１００の動作について説明する。コンテンツ出力装置１００は、テレビ放送番組等の映像音声コンテンツにおけるハイライトシーンをユーザが見逃す可能性を低減させるコンテンツ出力方法を実行すべく、コンテンツ出力処理を行う。
【００６７】
図３は、本実施の形態に係るコンテンツ出力装置１００におけるコンテンツ出力処理の一例を示すフローチャートである。以下、コンテンツ出力処理について、図３に即して説明する。
【００６８】
コンテンツ出力装置１００は、取得部１１０においてテレビ放送番組の受信等により映像音声信号を取得する（ステップＳ１１）。
【００６９】
コンテンツ出力装置１００は、取得部１１０で取得された映像音声信号に基づいてハイライトシーンであるか否かを判別し（ステップＳ１２）、記録部１４０により、ハイライトシーンとして検出された映像音声信号を記録媒体に記録する（ステップＳ１３）。ハイライトシーンに該当しない映像音声信号は記録媒体に記録されない。なお、取得部１１０により取得された映像音声信号がハイライトシーンのものであると判別した場合に、コンテンツ出力装置１００は通知部１３０により、ハイライトシーンの映像及び音声が視聴可能であることを、例えばメッセージの音声出力、送信等によって、ユーザに通知することとしてもよい。
【００７０】
コンテンツ出力装置１００は、ハイライトシーンの映像音声信号を記録媒体に記録済みであるか否かを判別し（ステップＳ１４）、記録済みでなければ取得部１１０で取得された映像音声信号に基づいて出力部１６０によって映像及び音声を概ねリアルタイムで出力する（ステップＳ１５）。ステップＳ１１〜Ｓ１５の処理は繰り返し行われ得る。
【００７１】
ステップＳ１４で、ハイライトシーンの映像音声信号を記録媒体に記録済みであると判別した場合には、コンテンツ出力装置１００は、ユーザが所定状態（出力される映像及び音声を適切に視聴可能な状態）であることを検出部１５０が検出したか否かを判別する（ステップＳ１６）。検出部１５０によりユーザが所定状態であると検出された場合には出力部１６０は、ハイライトシーン出力処理（記録媒体中の映像音声信号に基づく映像及び音声の出力等）を行う（ステップＳ１９）。ハイライトシーン出力処理については図４を用いて後に説明する。
【００７２】
ステップＳ１６で、検出部１５０によりユーザが所定状態（出力される映像及び音声を適切に視聴可能な状態）であると検出されない場合には、コンテンツ出力装置１００は、取得部１１０による映像音声信号の取得から所定時間（例えば５分等）が経過したか否かを判別し（ステップＳ１７）、所定時間経過前は、ハイライトシーン開始時点の映像を出力することで、ディスプレイ１６２への表示を、一時停止したように見える状態にする（ステップＳ１８）。この場合に２画面表示を行うモードであれば、例えば、１つの画面では取得部１１０で取得された映像音声信号に基づく映像を概ねリアルタイムで表示し、別の１つの画面で、ハイライトシーン開始時点の静止した映像を表示してもよい。また、所定時間が経過した後には出力部１６０は、ハイライトシーン出力処理を行う（ステップＳ１９）。
【００７３】
図４は、コンテンツ出力装置１００におけるハイライトシーン出力処理（図３のステップＳ１９）の一例を示すフローチャートである。以下、ハイライトシーン出力処理の一例について、図４に即して説明する。
【００７４】
出力部１６０は、記録部１４０が記録媒体に記録したハイライトシーンの映像音声信号に基づいて映像及び音声の出力を開始する（ステップＳ２１）。
【００７５】
出力部１６０は、記録媒体に記録された１つのハイライトシーンの映像音声信号に基づく映像及び音声の出力を完了したか判定する（ステップＳ２２）。出力部１６０は、ステップＳ２２では、１つのハイライトシーンの出力を完了したと判定するまで判定を繰り返す。ステップＳ２２で、１つのハイライトシーンの出力を完了したと判定した場合において、出力部１６０は、一定時間（例えば１５秒間）内にリプレイ指示の操作がなされたときには（ステップＳ２３）、再度その１つのハイライトシーンの映像音声信号に基づく映像及び音声の出力を開始して（ステップＳ２４）、ステップＳ２２での判定に戻る。またステップＳ２２で１つのハイライトシーンに係る映像及び音声の出力を完了したと判定した場合に一定時間が経過してもリプレイ指示の操作がないと、出力部１６０は、記録媒体に記録済みの全てのハイライトシーンの映像音声信号に基づく出力が完了したか否かを判定する（ステップＳ２５）。ステップＳ２５で全てのハイライトシーンに係る映像及び音声の出力が完了していないと判定した場合には、出力部１６０は、次のハイライトシーンに係る映像及び音声の出力を開始して（ステップＳ２６）、ステップＳ２２での判定に戻る。出力部１６０は、ステップＳ２５で全てのハイライトシーンに係る映像及び音声の出力が完了していたと判定した場合には、ハイライトシーン出力処理を終了する。
【００７６】
［１−３．効果等］
本実施の形態に係るコンテンツ出力装置１００は、テレビ放送番組の受信等で映像音声信号を逐次取得し、ハイライトシーンに該当しない映像音声信号に基づく映像及び音声は概ねリアルタイムで出力する。そして、コンテンツ出力装置１００は、ハイライトシーンに該当する映像音声信号については記録媒体に一旦記録してからユーザが視聴可能な状態になったことを検出した際等にそのハイライトシーンに係る映像及び音声を出力する。このため、ユーザが料理その他の家事等のために、テレビ画面（つまりディスプレイ１６２の画面）を見ることができない場所に一時的に移動している期間（或いは移動しないがテレビ画面を注視していない期間）に、テレビ放送番組等におけるハイライトシーンが始まっても、ユーザがハイライトシーンを見逃す可能性が低減する。
【００７７】
例えば、コンテンツ出力装置１００が、ユーザが視聴可能な状態でない期間に受信等で取得したハイライトシーンの映像音声信号を記憶媒体に記録しておいて視線センサ１５２等を用いてユーザが視聴可能状態になったことを検出した際にハイライトシーンの映像及び音声を出力する。これにより、ユーザはハイライトシーンを適切に視聴し得る。また、例えば、コンテンツ出力装置１００は、ユーザが視聴可能な状態でない期間に取得したハイライトシーンの映像音声信号を記憶媒体に記録しておいて一定時間（例えば５分等）はハイライトシーンの開始時点の映像を表示して一時停止状態にしておき一定時間経過後に一時停止を解除してハイライトシーンの映像及び音声の出力を開始する。これにより、ユーザは一定時間内に視聴可能状態になった場合には、ハイライトシーンを適切に視聴し得る。
【００７８】
（実施の形態２）
実施の形態１では、コンテンツ出力装置１００が行うコンテンツ出力処理において、映像音声信号に基づいてハイライトシーンであるか否かを判別する例（ステップＳ１２等）を示したが、本実施の形態では、コンテンツ出力装置１００は、外部装置から、ハイライトシーンの映像音声信号であるか否かを識別するためのハイライトシーン情報を取得して利用する例を示す。また、本実施の形態では、コンテンツ出力装置１００は、ハイライトシーンをユーザが視聴できる状況でない場合に、ハイライトシーンに係る映像及び音声の出力を抑止する例を示す。
【００７９】
［２−１．構成］
本実施の形態に係るコンテンツ出力装置１００の構成は、ここで特に示さない点については実施の形態１で示したものと同様である（図１、図２参照）。
【００８０】
本実施の形態では、通信部１２０は、外部装置から、取得部１１０により取得される映像音声信号がハイライトシーンの映像音声信号であるか否かを識別するためのハイライトシーン情報を取得する機能を有する。例えば外部装置は、テレビ放送番組等の提供元から得た情報に基づいて各放送番組についてのハイライトシーンの期間（例えば開始時刻及び終了時刻）を示すハイライトシーン情報を提供する。
【００８１】
また、記録部１４０は、ハイライトシーンの期間の特定を、取得部１１０に逐次取得された映像音声信号に係る映像の解析或いは音声の解析により行う代わりに、通信部１２０によって取得されたハイライトシーン情報に基づいて行う。即ち、記録部１４０は、取得部１１０により取得された映像音声信号がハイライトシーンの映像音声信号であるか否かをハイライトシーン情報に基づいて識別することにより、ハイライトシーンの映像音声信号の記録を行う。
【００８２】
また、出力部１６０は、記録部１４０によりハイライトシーンの映像音声信号が記録媒体に記録された場合に、所定条件が満たされるまでの期間において、取得部１１０により映像音声信号が取得された際におけるその映像音声信号に基づく映像及び音声の出力を抑止する。ハイライトシーンをユーザが視聴できる可能性が高くない場合に、取得部１１０がテレビ放送の受信により逐次取得した映像音声信号に基づく映像及び音声の出力を出力部１６０が抑止することで、ユーザが不完全に（例えば断片的に）ハイライトシーンを視聴してしまわないようにしている。
【００８３】
［２−２．動作］
以下、本実施の形態に係るコンテンツ出力装置１００の動作について説明する。
【００８４】
図５は、本実施の形態に係るコンテンツ出力装置１００におけるコンテンツ出力処理の一例を示すフローチャートである。以下、コンテンツ出力処理について、図５に即して説明する。
【００８５】
コンテンツ出力装置１００は、取得部１１０においてテレビ放送番組の受信等により映像音声信号を取得する（ステップＳ３１）。また、コンテンツ出力装置１００は、通信部１２０により外部装置からハイライトシーン情報を受信する（ステップＳ３２）。コンテンツ出力装置１００は、例えば取得部１１０で受信するテレビ放送番組についての番組識別情報を外部装置に送信する等により、外部装置にそのテレビ放送番組に関連するハイライトシーン情報を送信させて、そのハイライトシーン情報を受信することとしてもよい。
【００８６】
コンテンツ出力装置１００は、通信部１２０により受信されたハイライトシーン情報に基づいて、取得部１１０で取得された映像音声信号がハイライトシーンのものであるか否か（つまりハイライトシーン情報が示すハイライトシーンの期間内であるか否か）を判別し（ステップＳ３３）、記録部１４０により、ハイライトシーンとして検出された映像音声信号を記録媒体に記録する（ステップＳ３４）。ハイライトシーンに該当しない映像音声信号は記録媒体に記録されない。ステップＳ３４に続いて、コンテンツ出力装置１００は、通知部１３０により、ハイライトシーンが始まった旨（つまりハイライトシーンの映像及び音声が視聴可能である旨）をユーザに通知する（ステップＳ３５）。コンテンツ出力装置１００は、ステップＳ３５でのユーザへの通知を、例えば、ハイライトシーンが始まったことを示すメッセージの音声出力、或いは、ユーザが携帯する情報端末へのそのメッセージの送信を行うことで実現する。
【００８７】
コンテンツ出力装置１００は、ハイライトシーンの映像音声信号を記録媒体に記録済みであるか否かを判別し（ステップＳ３６）、記録済みでなければ取得部１１０で取得された映像音声信号に基づいて出力部１６０によって映像及び音声を概ねリアルタイムで出力する（ステップＳ３７）。ステップＳ３１〜Ｓ３７の処理は繰り返し行われ得る。
【００８８】
ステップＳ３６で、ハイライトシーンの映像音声信号を記録媒体に記録済みであると判別した場合には、コンテンツ出力装置１００は、ユーザが所定状態（出力される映像及び音声を適切に視聴可能な状態）であることを検出部１５０が検出したか否かを判別する（ステップＳ３８）。検出部１５０によりユーザが所定状態であると検出された場合には出力部１６０は、ハイライトシーン出力処理（記録媒体中の映像音声信号に基づく映像及び音声の出力等）を行う（ステップＳ４１）。このステップＳ４１のハイライトシーン出力処理は、実施の形態１において図４を用いて示したもの（図３のステップＳ１９）と同様である。
【００８９】
ステップＳ３８で、検出部１５０によりユーザが所定状態（出力される映像及び音声を適切に視聴可能な状態）であると検出されない場合には、コンテンツ出力装置１００は、取得部１１０による映像音声信号の取得から所定時間（例えば５分等）が経過したか否かを判別し（ステップＳ３９）、所定時間経過前は、取得部１１０により取得された映像音声信号に基づく映像及び音声の出力を抑止する（ステップＳ４０）。また、所定時間が経過した後には出力部１６０は、ハイライトシーン出力処理を行う（ステップＳ４１）。
【００９０】
［２−３．効果等］
本実施の形態に係るコンテンツ出力装置１００は、テレビ放送番組の受信等で映像音声信号を逐次取得し、ハイライトシーンに該当しない映像音声信号に基づく映像及び音声は概ねリアルタイムで出力するが、外部装置から受信したハイライトシーン情報に基づいてハイライトシーンの期間が始まると、ユーザが所定状態（出力される映像及び音声を適切に視聴可能な状態）でなければその映像及び音声の出力を抑止する。また、コンテンツ出力装置１００は、ハイライトシーンの期間内の映像音声信号については記録媒体に一旦記録してからユーザが視聴可能な状態になったことを検出した際等にそのハイライトシーンに係る映像及び音声を出力する。即ち、コンテンツ出力装置１００は、ユーザが家事等のためにテレビ画面（つまりディスプレイ１６２の画面）を注視していない期間に、テレビ放送番組等におけるハイライトシーンが始まっても、ユーザが不完全に（例えば断片的に）ハイライトシーンを視聴してしまわないようにしている。そして、コンテンツ出力装置１００は、ハイライトシーンの映像音声信号を記録媒体に一旦記録しておき、ユーザが適切に視聴可能な状態になった際に、記録していたハイライトシーンに係る映像及び音声を出力する。これにより、ユーザはハイライトシーンを適切に視聴し得る。また、コンテンツ出力装置１００は、ハイライトシーンが始まった際に、ユーザに通知を行う。これにより、ユーザがディスプレイ１６２の画面を見ることができない場所に一時的に移動している場合、或いは、移動していないがその画面を注視していない場合等においても、ユーザは通知を受けることでハイライトシーンが始まることを知ってディスプレイ１６２の画面を見ることで、ハイライトシーンを適切に視聴できるようになる。
【００９１】
（他の実施の形態）
以上のように、本出願において開示する技術の例示として、実施の形態１、２を説明した。しかしながら、本開示における技術は、これに限定されず、適宜、変更、置き換え、付加、省略等を行った実施の形態にも適用可能である。
【００９２】
（１）上述の実施の形態では、ハイライトシーンの出力の後にユーザからリプレイ指示の操作を受け付ける例（ステップＳ２３）を示したが、コンテンツ出力装置１００が、予めユーザの操作を受け付けて操作に応じた情報を記憶（設定）する設定機能を有することとし、設定機能でユーザからリプレイ指示に関する情報を取得して設定し、その設定された情報に従ってハイライトシーンを繰り返して出力するか否かを制御してもよい。この場合に、ハイライトシーンの繰り返し回数の設定を可能にして、コンテンツ出力装置１００は、その設定された回数だけハイライトシーンの出力を繰り返すように制御することとしてもよい。また、コンテンツ出力装置１００は、その他の制御用の各種情報をユーザが設定可能にしてもよく、例えば、ステップＳ１７で映像音声信号の取得から所定時間が経過したか否かを判別するその所定時間の時間長を、ユーザが設定可能にしてもよい。また、ハイライトシーンが視聴可能な旨を通知するメッセージの送信先となる情報端末のアドレス等をユーザが設定可能であってもよい。また、例えば、１画面表示（ハイライトシーンのみの表示）、２画面表示（リアルタイムな映像音声コンテンツの表示画面とハイライトシーンの表示画面との分割表示等）等の、ハイライトシーンの表示態様をユーザが設定可能にしてもよい。また、上述の実施の形態では、記録部１４０が映像の解析等でハイライトシーンの期間を特定する例（つまりハイライトシーンを検出する例）を示したが、一定条件下でのみハイライトシーンを検出することとしてもよく、ハイライトシーンを検出するか否かについて、映像音声コンテンツ毎、或いは映像音声コンテンツの種類（例えばジャンル等）毎に、ユーザが設定可能としてもよい。なお、コンテンツ出力装置１００は、映像音声コンテンツの出力開始時等においてユーザに確認するメッセージを表示する等によってユーザ操作を受けて、ハイライトシーンを検出するか否かを選択してもよい。
【００９３】
（２）上述の実施の形態では、コンテンツ出力装置１００がテレビである例を示したが、コンテンツ出力装置１００は、映像音声コンテンツを表す映像音声信号を取得して映像音声コンテンツに係る映像及び音声を出力する装置であればよく、テレビに限定されることはない。コンテンツ出力装置１００は、例えば光ディスク、ハードディスク、不揮発性メモリ等の記録媒体に記録された映像音声コンテンツを再生する再生装置であってもよい。また、コンテンツ出力装置１００は、インターネット等のネットワークを介して外部装置から受信した信号に基づいて映像音声コンテンツを出力する通信装置であってもよい。コンテンツ出力装置１００は、映像音声信号に係る処理を行うスマートフォン、タブレット、ディスプレイ（例えばヘッドマウントディスプレイ等）の機器であってもよいし、これらの機器の一部であってもよい。また、上述の実施の形態では取得部１１０は、テレビ放送の受信により映像音声信号を逐次取得することとして説明したが、光ディスクその他の記録媒体等から映像音声コンテンツに係る映像音声信号を示すデータを読み出すことで映像音声信号を逐次取得するものであってもよい。例えば、取得部１１０は、ＨＤＭＩ（登録商標）等の信号入力インタフェース回路、ウェブコンテンツを受信するネットワーク通信回路、或いは、ＵＳＢ（Universal Serial Bus）メモリその他の外部記録媒体と接続する通信回路等で構成されてもよい。
【００９４】
（３）上述の実施の形態では、通知部１３０が、ハイライトシーンが視聴可能な旨の通知を、スピーカでの音声出力、メッセージ送信等で行う例を示したが、通知をいかなる方法で行ってもよく、通知を、例えば発光、表示等により行うこととしてもよい。また、通知部１３０は、視線センサ１５２等を用いて、ユーザが映像音声コンテンツを適切に視聴可能な状態でないことが検知された場合に限って、ハイライトシーンが視聴可能な旨の通知を行うこととしてもよい。また、コンテンツ出力装置１００は、ユーザの携帯する情報端末にハイライトシーンが視聴可能な旨を通知するメッセージを送信する際に、ハイライトシーンに係る映像音声信号をその情報端末に送信することとしてもよい。
【００９５】
（４）上述の実施の形態では、検出部１５０が、ユーザが所定状態（出力部１６０により出力される映像及び音声を視聴可能な状態）であることを、視線センサ１５２での視線検知、或いは入力処理回路１５１でのユーザの操作検知によって、検出する例を示したが、その検出をいかなる方法で行ってもよい。例えば、検出部１５０は、人感センサ、或いは、ユーザに携帯される無線タグ等の物との無線通信を行う通信回路等を用いて、ユーザが視聴可能領域へ入っていることを検知することで、ユーザが所定状態であることを検出することとしてもよい。
【００９６】
（５）上述の実施の形態では、コンテンツ出力装置１００が、ディスプレイ１６２及びスピーカ１６４を含む例を示した。しかし、コンテンツ出力装置１００は、映像及び音声の提示装置（例えばディスプレイ、スピーカ等）を含まなくてもよく、その場合には、出力部１６０は、コンテンツ出力装置１００から映像及び音声を情報（信号）として出力することで提示装置に供給すればよい。これにより、提示装置がその情報（信号）を受けて映像及び音声をユーザに視聴可能となるように提示できる。
【００９７】
（６）上述の実施の形態では、取得部１１０によりハイライトシーンの映像音声信号が取得されると記録部１４０は、その映像音声信号を記録媒体に記録することとしたが、記録媒体の空き領域の容量が不足した場合において一定条件下で記録を中止してもよい。ハイライトシーンの映像音声信号を記録するためのハイライトシーン記録処理の一例について図６に示す。このハイライトシーン記録処理としては、コンテンツ出力装置１００は、記録部１４０で新たなハイライトシーン（つまりハイライトシーンに係る映像音声信号）を記録するに際して、映像音声信号の記録のための記録媒体の空き領域の容量が不足しているか判定し（ステップＳ５１）、不足していなければ新たなハイライトシーンを記録媒体の空き領域に記録する（ステップＳ５２）。ステップＳ５１で空き領域の容量が不足していると判定した場合には、コンテンツ出力装置１００は、設定機能により記録済みのハイライトシーンの上書きを禁止する旨の設定がなされているか否かを判定し（ステップＳ５３）、その設定がなされている場合には新たなハイライトシーンの記録を中止する（ステップＳ５６）。また、ステップＳ５３で上書きを禁止する旨の設定がなされていないと判定した場合に、コンテンツ出力装置１００は、記録済みで未出力のハイライトシーンのうち最も古いもの（つまり最も早く記録したもの）に係る映像及び音声の出力を開始し（ステップＳ５４）、出力されたハイライトシーンの映像音声信号を記録した記録媒体中の領域に、新たなハイライトシーンの映像音声信号を記録（つまり上書き）する（ステップＳ５５）。なお、図６の例は記録媒体へのハイライトシーンの映像音声信号の記録態様の一例に過ぎず、いかなる方法で記録してもよい。
【００９８】
（７）上述の実施の形態では、外部装置が、テレビ放送番組等の提供元から得た情報に基づいて各放送番組についてのハイライトシーンの期間（例えば開始時刻及び終了時刻）を示すハイライトシーン情報を提供し、コンテンツ出力装置１００がそのハイライトシーン情報を受信する例を示した。しかし、ハイライトシーン情報は、ハイライトシーンの期間を特定する情報であればいかなる情報であってもよい。例えば、コンテンツ出力装置１００は、映像音声コンテンツがテレビ放送番組の再放送であるコンテンツ、オンデマンド放送のコンテンツ、光ディスク等の記録媒体で頒布されたコンテンツ等の場合において、複数の視聴者が提供したハイライトシーンに関連する情報（例えば場面毎の評価情報）に基づく統計処理等を行うことで、ハイライトシーンの期間を特定することとしてもよい。
【００９９】
（８）上述の実施の形態では、コンテンツ出力装置１００が、メモリ１４１に記憶された制御プログラムをプロセッサ１７０で実行することにより（つまりソフトウェアを用いて）、各機能部の全部又は一部の機能を実現する例を示したが、専用のハードウェア（デジタル回路、アナログ回路等）により各機能部の全部又は一部の機能を実現することとしてもよい。コンテンツ出力装置１００における各機能部（各構成要素）は、ＩＣ（Integrated Circuit）、ＬＳＩ（Large Scale Integration）等の半導体装置により個別に１チップ化されてもよいし、一部又は全部を含むように１チップ化されてもよい。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、その技術を用いて機能ブロックの集積化を行ってもよい。バイオ技術の適用等が可能性としてあり得る。また、上述の実施の形態で示した処理手順（例えば図３〜図５に示す手順等）の実行順序は、必ずしも、上述した通りの順序に制限されるものではなく、発明の要旨を逸脱しない範囲で、実行順序を入れ替えたりその一部を省略したり複数の手順を並列実行したりすることができる。なお、コンテンツ出力装置１００にコンテンツ出力処理を実行させるための制御プログラムを、記録媒体に記録して頒布し、流通させてもよい。例えば、頒布された制御プログラムをコンピュータにインストールして、プロセッサに実行させることで、コンピュータにコンテンツ出力処理の全部又は一部を行わせることが可能となる。また、上述したコンテンツ出力装置１００における各機能部（各構成要素）の間の機能分担は、一例に過ぎず、その分担を変更し得る。
【０１００】
（９）上述した実施の形態で示した構成要素及び機能を任意に組み合わせることで実現される形態も本開示の範囲に含まれる。
【産業上の利用可能性】
【０１０１】
本開示は、例えばテレビ等、映像音声コンテンツの処理装置に適用可能である。
【符号の説明】
【０１０２】
１００  コンテンツ出力装置
１１０  取得部
１１１  放送受信回路
１２０  通信部
１２１  通信回路
１３０  通知部
１４０  記録部
１４１  メモリ
１５０  検出部
１５１  入力処理回路
１５２  視線センサ
１６０  出力部
１６１  映像処理回路
１６２  ディスプレイ
１６３  音声処理回路
１６４  スピーカ
１７０  プロセッサ
２００  外部装置
２０１  ネットワーク
【図１】
2018113625.tif 000003
【図２】
2018113625.tif 000004
【図３】
2018113625.tif 000005
【図４】
2018113625.tif 000006
【図５】
2018113625.tif 000007
【図６】
2018113625.tif 000008